(57)【要約】【課題】剥離ガイド２０４の脱着を容易にし、剥離ガイドの清掃性向上、および、加熱ローラ２０１を傷つけることなく安定して、用紙２０９を剥離する定着器を備えた電子写真装置等の印刷装置を提供する。【解決手段】剥離ガイド２０４に設けた溝部２０４１と保持部材２０４５に設けた突起２０４６が嵌合することで、剥離ガイド２０４の回転可動範囲を制限して、用紙のカールを除去するとともに、剥離ガイド２０４、当接部材２０４２、ばね２０４３，回転支持部材２０４４、保持部材２０４５を一体構造とする剥離ガイドユニット２４０として、定着器にねじ４２で脱着自在としたことにより、剥離ガイドの清掃メンテナンスを容易にした。【効果】用紙汚れを防止し、用紙搬送姿勢の安定化とカール除去を実現し、安定した高速定着での高画質の電子写真装置等の印刷装置を提供することができる。【選択図】図２
2008122520.tif 000002
【特許請求の範囲】
【請求項１】
加熱ローラ、この加熱ローラに当接する加圧ベルト、および、前記加熱ローラと加圧ベルトによるニップ部から排出された転写用紙を前記加熱ローラから剥離案内する回転可能な用紙剥離ガイドとを備えた定着器を有する印刷装置において、前記剥離ガイド、この剥離ガイドを回転可能に保持する保持部材、および、前記加熱ローラの両端の非通紙部に当接し前記剥離ガイドの先端と前記加熱ローラとのギャップを確保する当接部材とを含めて一体構造とした剥離ガイドユニットを、前記定着器から脱着自在に構成したことを特徴とする印刷装置。
【請求項２】
芯金の内部に発熱体を有し、芯金の周囲に形成した耐熱性とトナー離型性を兼ね備えた加熱ローラと、この加熱ローラに当接してニップ部を形成する加圧ベルトと、この加圧ベルトを前記加熱ローラに当接させる加圧部材と、前記ニップ部から排出された転写用紙を前記加熱ローラから剥離案内する回転可能な用紙剥離ガイドとを備えた定着器を有する印刷装置において、前記剥離ガイドを回転支持して保持する部材と、前記加熱ローラの両端の非通紙部に当接して剥離ガイド先端と加熱ローラのギャップを確保する当接部材と、該当接部材を加熱ローラへ押し付けるばねととともに、前記剥離ガイドが一体構造となって前記定着器から脱着可能であることを特徴とする印刷装置。
【請求項３】
請求項１または２において、前記剥離ガイドは、回転支持部を有する２つの保持部材によって両端で回転支持されるとともに、この保持部材に設けた突起と嵌合して当該剥離ガイドの回転可動範囲を規制する溝を備えたことを特徴とする印刷装置。
【請求項４】
請求項１〜３のいずれかにおいて、前記加熱ローラに加圧ベルトを介して当接する加圧部材の断面形状を、前記加熱ローラの曲率に対応した湾曲形状に形成したことを特徴とする印刷装置。
【請求項５】
請求項１〜４のいずれかにおいて、前記当接部材は、前記加熱ローラに対する押し付け力が、２０〜５０Ｎであることを特徴とする印刷装置。
【請求項６】
請求項１〜５のいずれかにおいて、前記剥離ガイドは、その回転可動範囲が１０°以下であることを特徴とする印刷装置。
【請求項７】
加熱ローラ、該加熱ローラに当接する加圧ベルト、および、前記加熱ローラと加圧ベルトによるニップ部から排出された転写用紙を前記加熱ローラから剥離案内する回転可能な用紙剥離ガイドとを備えた定着器を有する印刷装置の制御方法において、前記剥離ガイドを保持部材によって回転可能に保持するステップ、前記加熱ローラの両端の非通紙部に当接する当接部材によって前記剥離ガイドの先端と前記加熱ローラとのギャップを確保するステップ、前記当接部材を前記加熱ローラへ押し付けるステップ、および、前記剥離ガイド、前記保持部材、並びに、前記当接部材とを含めて一体構造となった剥離ガイドユニットを前記定着器から脱着するステップとを備えたことを特徴とする印刷方法。
【請求項８】
請求項７において、前記剥離ガイドは、回転支持部を有する２つの保持部材によって両端で回転支持するステップと、この保持部材に設けた突起と嵌合する前記剥離ガイドの溝とによって前記剥離ガイドの回転可動範囲を規制するステップとを備えたことを特徴とする印刷方法。
【請求項９】
請求項７または８において、断面形状が前記加熱ローラの曲率に対応した湾曲形状である加圧部材によって、前記加圧ベルトを前記加熱ローラに当接するステップを備えたことを特徴とする印刷方法。
【請求項１０】
請求項７〜９のいずれかにおいて、前記加熱ローラに対する前記当接部材の押し付け力を２０〜５０Ｎとし、前記剥離ガイドの回転可動範囲を１０°以下とすることを特徴とする印刷方法。
【発明の詳細な説明】
【技術分野】
【０００１】
本発明は、例えばプリンタ、複写機、ファクシミリ装置等の印刷装置および印刷方法に係り、特に印刷の定着における転写用紙の剥離に関する印刷装置および印刷方法に係る。
【背景技術】
【０００２】
電子写真装置等の印刷装置における定着器では、未定着のトナーを転写した用紙が、トナーの粘着性によって加熱ローラに巻きつくことを防止するため、加熱ローラに対してあるギャップを確保して近接する剥離ガイド（分離プレートとも言う）を設置している。
【０００３】
また、剥離ガイドと加熱ローラとのギャップを確保する構造として、特許文献１のように、剥離ガイドを回転支持するとともに、加熱ローラに当接する部材を剥離ガイドに設ける構造が提案されている。
【０００４】
【特許文献１】特開２００３−２０２７６７号公報
【発明の開示】
【発明が解決しようとする課題】
【０００５】
しかしながら、上記特許文献１に開示されたような剥離ガイドには、次に述べるような２つの問題がある。
【０００６】
１つ目は、剥離ガイド先端に付着したトナーによって用紙汚れが発生する問題である。すなわち、剥離ガイドは、用紙およびトナーをニップ（nip）後、トナーが冷え切らないうちに、加熱ローラから剥離して、トナーと摺擦するため、剥離ガイド先端にはトナーが蓄積する。また、何らかの理由で、重送や用紙ジャムが発生した場合には、剥離ガイドのトナー汚れが増大する。その結果、剥離ガイドに蓄積したトナーが用紙との摺擦によって用紙に転写し、その結果、用紙汚れが発生するという問題がある。
【０００７】
２つ目は、剥離ガイドが回転支持されているため、用紙が搬送されるにともない、用紙の反力によって剥離ガイドが回転し、その結果、定着後の用紙姿勢が安定せず、カールが発生するという問題である。特に、装置の小型化によって小径の加熱ローラを採用する場合には、ニップ部で用紙にカール（curl）が発生するため、ニップ出口後の用紙姿勢を剥離ガイドによって矯正し、カールを低減させる必要がある。そのため、剥離ガイドが回転するとカールを低減できず、その結果、定着後の用紙搬送経路において、用紙ジャムが発生してしまう可能性がある。
【０００８】
本発明の目的は、剥離ガイドのトナー付着による用紙汚れを除去することのできる印刷装置または印刷方法を提供することである。
【０００９】
本発明の他の目的は、ニップ後の用紙姿勢を安定させ、用紙カールを除去することができ、高速の定着を実現する印刷装置または印刷方法を提供することである。
【００１０】
さらに本発明の他の目的は、用紙汚れと用紙カールを除去でき、小型で経済的に、高速の定着を実現する印刷装置または印刷方法を提供することである。
【課題を解決するための手段】
【００１１】
本発明は、その一面において、加熱ローラ、該加熱ローラに当接する加圧ベルト、および、前記加熱ローラと加圧ベルトによるニップ部から排出された転写用紙を前記加熱ローラから剥離案内する回転可能な用紙剥離ガイドとを備えた定着器を有する印刷装置において、前記剥離ガイド、この剥離ガイドを回転可能に保持する保持部材、前記加熱ローラの両端の非通紙部に当接し前記剥離ガイド先端と前記加熱ローラとのギャップを確保する当接部材、および、この当接部材を前記加熱ローラへ押し付けるばねとを含めて一体構造とする剥離ガイドユニットを、前記定着器から脱着自在に構成したことを特徴とする。
【００１２】
本発明は、他の一面において、芯金の内部に発熱体を有し、芯金の周囲に形成した耐熱性とトナー離型性を兼ね備えた加熱ローラと、該加熱ローラに当接する加圧ベルトと、該加圧ベルトを加熱ローラに当接させる加圧部材と、加熱ローラの外周に配置され用紙を加熱ローラから剥離して案内する剥離ガイドを有する定着器を備えた電子写真装置において、該剥離ガイドを回転支持して保持する部材と、加熱ローラの非通紙部に当接して剥離ガイド先端と加熱ローラのギャップを確保する当接部材と、該当接部材を加熱ローラへ押し付けるばねとを、剥離ガイドと一体構造とすることで、剥離ガイドを定着器から脱着可能としたことを特徴とする。
【００１３】
本発明の望ましい実施態様においては、剥離ガイドの回転支持を有する保持部材に突起を設けるともに、この突起に嵌合する溝を剥離ガイドに設けることで、剥離ガイドの回転可動範囲を規制したことにある。
【００１４】
また、本発明の望ましい実施態様においては、前記加熱ローラに加圧ベルトを介して当接する加圧部材の断面形状を、前記加熱ローラの曲率に対応した湾曲形状に形成する。
【発明の効果】
【００１５】
本発明の望ましい実施態様によれば、剥離ガイドのトナー付着による用紙汚れを除去できる印刷装置または印刷方法を提供することができる。
【００１６】
また、本発明の望ましい実施態様によれば、ニップ後の用紙姿勢を安定させ、用紙カールを除去することができ、高速の定着を実現する印刷装置または印刷方法を提供することができる。
【００１７】
さらに、本発明の望ましい実施態様によれば、用紙汚れと用紙カールを除去でき、小型で経済的に、高速の定着を実現する印刷装置または印刷方法を提供することができる。
【００１８】
この結果、少ない部品点数でメンテナンス性に優れ、多種用紙に対する小型で高速、高画質の印刷装置または印刷方法を提供することができる。
【００１９】
本発明のその他の目的と特徴は、以下に述べる実施例の中で明らかにする。
【発明を実施するための最良の形態】
【００２０】
以下、本発明の一実施例を図１〜６を用いて説明する。
【００２１】
図１は、本発明の印刷装置の適用対象の一例である電子写真装置の概要を示す概略断面図である。図１において、装置中央部に中間転写装置１０１が配置されており、中間転写装置１０１の周辺には、感光装置１０２、転写装置１０３、用紙剥離手段１０４、中間転写装置清掃手段１０５が配置されている。また、感光装置１０２の周辺には、帯電器１０６、感光体清掃手段１０７、残像除去手段１０８が配置されている。４色の異なる色の微少着色粉体であるトナーを封入した現像器１０９Ｋ、１０９Ｍ、１０９Ｙ、１０９Ｃが重ねられて配置されており、その下方には露光手段１１０、また、更にその下方には用紙を溜めておく用紙保持手段１１１、用紙供給装置１１２が配置されている。電子写真装置上部には、定着装置１１３、用紙排出装置１１４が配置されている。
【００２２】
このような構成において、帯電器１０６は、感光装置１０２の表面に一様に帯電させる。次に、画像、文字の情報を、露光手段１１０により露光し、感光装置１０２の表面に静電潜像を形成させる。
【００２３】
その後、静電潜像は、現像器１０９Ｋ、１０９Ｍ、１０９Ｙ、１０９Ｃのいずれかによりトナーが供給、現像されることにより、トナー像として可視化され、第１転写位置Ｔ１へ搬送される。第１転写位置Ｔ１では、図示しない電源から供給される感光装置１０２と中間転写装置１０１との電位差により、トナー像が中間転写装置１０１の表面へ転写される。第１転写位置Ｔ１を通過した後、感光装置１０２の表面は、残像除去手段１０８による光照射で電位を一定以下に落とされ、静電潜像が消去される。また、感光体清掃手段１０７により、第１転写位置Ｔ１にて転写されずに残留した表面の残トナーが清掃され、次のトナー像の形成が可能な状態になる。上記工程を各現像器１０９Ｋ〜１０９Ｃにより必要数繰返すことにより、中間転写装置１０１の表面には、画像、文字の情報に見合うトナー像が形成される。
【００２４】
その後、トナー像は、第２転写位置Ｔ２において、転写装置１０３によって、用紙供給装置１１２により、用紙保持手段１１１から供給された用紙に転写される。トナー像を転写された用紙１１５は、用紙剥離手段１０４により、中間転写装置１０１から剥離され、定着装置１１３に運ばれ、トナー像を用紙に定着し、用紙排出装置１１４にて排出される。
【００２５】
図２は、本発明の一実施例による電子写真装置における定着器の構成を示す概略断面図である。定着装置は、主として、加熱ローラ２０１、加圧ベルト２０２、入口ガイド２０３、剥離ガイド２０４、出口ガイド２０５、下ケース２０６から構成される。加熱ローラ２０１は、厚さ０．５ｍｍのパイプ状の鉄芯金２０１１の上に、厚さ０．８ｍｍ、ＪＩＳ硬度２０度のシリコーンゴム層２０１２で被覆された外径φ２６．６の弾性ローラである。その表面には、トナーとの離型性を確保するため、厚さ３０μｍのＰＦＡ（四弗化エチレンパーフルオロアルキルビニルエーテル共重合体）が被覆されている。また、内部には、ヒータ２０１３を有しており、この熱によってトナーを溶融する。また、加熱ローラ２０１は、図示していないギヤにより矢印Ａ方向へ回転する。
【００２６】
加圧ベルト２０２は、厚さ８０μｍ、内径φ３０のシームレスのポリイミドベルトであり、その表面にはトナーとの離径性を確保するため、厚さ３０μｍのＰＦＡが被覆されている。また、加圧ベルト２０２は、表面が加熱ローラの曲率に対応して湾曲形状を有する加圧パッド２０７によって、加熱ローラ２０１に対して巻き付き角度θで当接し、トナー２０８を溶融するための接触部（ニップ部）ｈを形成している。そのため、加熱ローラ２０１が小径でも、トナーを定着する速度に必要な接触幅ｈが形成でき、定着装置の小型化が図れるとともに、高速定着が可能となる。本実施例では、接触幅＝１１ｍｍ、θ＝４７°で、定着速度２００ｍｍ／ｓを実現している。
【００２７】
加熱ローラ２０１の周囲には、用紙２０９のガイド機能を有する耐熱性の樹脂で成形された下ケース２０６と、加熱ローラ２０１の表面とギャップＧを形成して定着後の用紙２０９を加熱ローラ２０１から剥離案内する剥離ガイド２０４が配置されている。また、加熱ローラ２０１の通紙部に当接して、加熱ローラ２０１の表面温度を高精度に検知することで、ヒータ２０１３の発熱を制御するための接触式サーミスタ２１０が配置されている。
【００２８】
以上の構成により、未定着のトナー２０８が転写された用紙２０９は、入口ガイド２０３および下ケース２０６のガイドにより矢印Ｂ方向へ搬送され、加熱ローラ２０１と接触部ｈで当接し、そこでトナー２０８が用紙２０９に溶融定着される。その後、剥離ガイド２０４により、加熱ローラ２０１から剥離されて排出される構成となっている。
【００２９】
剥離ガイド２０４は、溝２０４１を有し、さらにその両端には、加熱ローラ２０１と当接する部材２０４２と、この当接部材２０４２を加熱ローラ２０１に当接させる捻りばね２０４３を備えている。また、剥離ガイド２０４を回転支持する回転支持部材２０４４を有する保持部材２０４５を備え、この保持部材２０４５には突起２０４６を備えている。これらは、それらが一体となった剥離ガイドユニット２４０を形成している。剥離ガイドユニット２４０の詳細構成については、後述する。
【００３０】
定着装置から排出される用紙２４は、ニップ部ｈが水平線ｐに対して角度φ傾斜していることにより、図１に示した電子写真装置本体の排紙部へ搬送される構成となっている。
【００３１】
また、ニップ部ｈの出口点ｂから角度αの位置に、加熱ローラ１とギャップＧを形成するとともに、出口点ｂと剥離ガイドの上端部ｄ点を結ぶ直線ｌが、出口点ｂにおける加熱ローラ１の接線ｍと角度βを形成するよう、剥離ガイド４を配置している。これによって用紙は、ニップ部ｈを出た直後、加熱ローラ１の表面に沿って搬送されるが、剥離ガイド４に用紙先端が衝突すると、ニップ部ｈの角度θとは反対の方向に用紙姿勢が矯正されることとなる。そのため、用紙は、ニップ部ｈにおいて角度θでカールするが、剥離ガイド４による搬送姿勢によってカールが矯正されるため、その結果、カールを防止することができる。
【００３２】
次に、剥離ガイドの構成について説明する。
【００３３】
図３は、本発明の一実施例による剥離ガイドユニット２４０の分解構成図を示す。剥離ガイド２０４は、断面がＬ字形状をした厚さｔ：１．２ｍｍの鋼板であり、その先端はｔ：０．３ｍｍに薄くしている。この理由は、薄いほど、加熱ローラに近づけられるため、用紙剥離性がよくなり、加熱ローラに近づけられることによって、定着器が小型化できるからである。しかしながら、剥離ガイド２０４全体を薄くすると、用紙が衝突を繰返すことによる変形や熱による歪み、あるいは製作時の反りなどが生じ、その結果、剥離ガイド２０４の先端の寸法精度を確保することが難しくなる。このため、本実施例では、剥離ガイド２０４を偏厚構造とすることで、剛性の確保と用紙剥離性の確保とを実現している。また、剥離ガイド２０４の表面には、トナーの離径性および、用紙との摺擦を確保するため、フッ素コートもしくはフッ素フィルムが施されている。なお、本実施例では、低コスト化および剥離ガイド２０４の真直精度から、剥離ガイド２０４の形状を平坦な形状としているが、用紙との摺動負荷の低減の観点から、リブを設けても構わない。
【００３４】
当接部材２０４２は、耐熱性で摺動性の良い樹脂成形部品であり、剥離ガイド２０４の両端にねじで取り付けられている。
【００３５】
ばね２０４３は、捻りばねであり、回転支持部材２０４４に嵌合して取り付けられ、これによって剥離ガイド２０４の両端に取り付けられた当接部材２０４２を加熱ローラに当接させている。この捻りばね２０４３による押し付け力が大きいと、加熱ローラ２０１を傷つけてしまい、反対に、押し付け力が弱いと用紙２０９の反力によって剥離ガイド２０４を回転させてしまいカールが除去できなくなる。このため、当接部材２０４２の加熱ローラ２０１への押し付け力は、２０〜５０Ｎとしている。
【００３６】
回転支持部材２０４４は、剥離ガイド２０４を回転支持する部材であり、保持部材２０４５に取り付けられる。
【００３７】
保持部材２０４５には、回転支持部材２０４４と突起２０４６が設けられており、この突起２０４６が剥離ガイド２０４の溝２０４１と嵌合することによって、剥離ガイド２０４の回転可動範囲を規制する構造となっている。回転可動範囲については後述する。
【００３８】
次に、本発明の要部のひとつである剥離ガイドユニットと脱着構造について説明する。
【００３９】
図４は、本発明の一実施例による剥離ガイド２０４の脱着状態を示す図である。剥離ガイド２０４、当接部材２０４２、ばね２０４３、回転支持部材２０４４、保持部材２０４５は、図３で示した構成によって、剥離ガイドユニット２４０を形成する一体構造となっている。さらに、回転支持を有する２ヶの保持部材２０４５が、ステー（stay）４０のハーフピアス４１に、ねじ４２で固定される構成を採っているため、ねじ４２の取り外しによって、剥離ガイドユニット２４０が一体となって脱着可能となっている。このため、剥離ガイド２０４の脱着が容易になり、以下の２つの効果を実現している。
【００４０】
１つ目は、剥離ガイド２０４の先端に付着したトナーによる用紙２０９の汚れを簡単に清掃できることである。すなわち、剥離ガイド２０４は、用紙２０９およびトナーをニップ後、トナーが冷え切らないうちに加熱ローラ２０１から剥離して、トナーと摺擦するため、剥離ガイド２０４の先端にはトナーが蓄積する。一方、何らかの理由で、重送や用紙ジャムが発生した場合には、剥離ガイド２０４のトナー汚れが増大し、その結果、剥離ガイド２０４に蓄積したトナーが用紙２０９に転移して、用紙汚れが発生するという問題がある。しかし、剥離ガイド２０４の取り外しによって、剥離ガイド２０４の先端に蓄積したトナーを容易に清掃することができるため、用紙汚れを防止できる。
【００４１】
２つ目は、ユーザが、剥離ガイド２０４を清掃した後、再び、剥離ガイドユニット２４０を取り付ける際に、剥離ガイド２０４と加熱ローラ２０１とのギャップを気にせずに、容易に剥離ガイド２０４を取り付けることができる。すなわち、ステ−４０には、ハーフピアス４１があり、取り付けの位置決めが容易である。さらに、ねじ４２による取り付けの際は、当接部材２０４２があるので、加熱ローラ２０１とのギャップＧは確保され、ユーザが取り付け精度を意識せずとも、ギャップＧが確保できる。以上により、脱着時には、取り付け精度を必要とせず、簡易な取り付けを実現した。
【００４２】
次に、本発明に係る剥離ガイド２０４の用紙搬送機能について説明する。
【００４３】
図５は、本発明の一実施例による剥離ガイドの動作を説明する要部断面図である。本実施例の剥離ガイド２０４は可動式であり、回転支持部材２０４４を中心に剥離ガイド２０４が回転する。図２〜４に示したように、剥離ガイド２０４の溝部２０４１と、保持部材２０４５の突起２０４６が嵌合することにより、剥離ガイド２０４の回転可動範囲を制限している。その理由は、次の通りである。
【００４４】
図５において、用紙２０９には、ニップ部の角度θで加熱ローラ２０１の曲率でカールが生じるが、剥離ガイド２０４との当接によって姿勢が矯正され、角度θ内での湾曲とは反対向きに湾曲変形される。このため、用紙２０９の剛性によって、ニップ出口点ｂを起点にして、剥離ガイド２０４を押す力Ｆが、剥離ガイド２０４の曲げ部ｄに作用し、剥離ガイド２０４は回転支持部材２０４４を中心に矢印Ｃ方向に回転する。しかし、図示するように、本実施例では、突起２０４６と溝２０４１の嵌合によって、回転可動範囲が規制される。このため、ニップ出口点ｂと剥離ガイド２０４の上端の曲げ部ｄ点を結ぶ直線ｌと出口点ｂにおける加熱ローラ２０１の接線ｍとなす角度βがある角度以下にはならない構造となっている。
【００４５】
図６は、比較例における剥離ガイドの動作を説明する要部断面図であり、図５の本発明の一実施例に対応して図示したものである。図６に示すように、回転可動範囲の規制がない場合は、剥離ガイド２０４が大きく回転し、その結果、角度βが小さくなってしまうため、用紙２０９の姿勢の矯正が小さくなり、カール除去が困難となってしまう。
【００４６】
そこで、本実施例においては、用紙剛性が大きく、ニップ幅ｈでカールが大きい坪量１６０ｇ／ｍ２以上の厚紙でもカール除去ができるよう、角度βの変位を１０°以下としている。
【００４７】
以上の本発明の実施例によれば、剥離ガイドユニット２４０として、剥離ガイド２０４、当接部材２０４２、ばね２０４３、回転支持部材２０４４、保持部材２０４５を一体構造とし、脱着可能な構成としている。これにより、剥離ガイド２０４の脱着を容易にしたことで、剥離ガイド２０４に付着する未定着トナーの清掃を容易に実現することができる。また、剥離ガイド２０４に設けた溝２０４１と、保持部材２０４５に設けた突起２０４６とが嵌合することにより、剥離ガイド２０４の回転可動範囲を規制したことにより、安定した用紙２０９の搬送とカール除去を実現している。
【図面の簡単な説明】
【００４８】
【図１】本発明の印刷装置の適用対象の一例である電子写真装置の概要を示す概略断面図である。
【図２】本発明の一実施例による電子写真装置における定着器の構成を示す概略断面図である。
【図３】本発明の一実施例による剥離ガイドユニット２４０の分解構成図である。
【図４】本発明の一実施例による剥離ガイド２０４の脱着状態を示す図である。
【図５】本発明の一実施例による剥離ガイドの動作を説明する要部断面図である。
【図６】比較例における剥離ガイドの動作を説明する要部断面図である。
【符号の説明】
【００４９】
１０１…中間転写装置、１０２…感光装置、１０３…転写装置、１０４…用紙剥離手段、１０５…中間転写装置清掃手段、１０６…帯電器、１０７…感光体清掃手段、１０８…残像除去手段、１０９Ｋ，１０９Ｍ，１０９Ｙ，１０９Ｃ…現像器、１１０…露光手段、１１１…用紙保持手段、１１２…用紙供給装置、１１３…定着装置、１１４…用紙排出装置、２０１…定着ローラ、２０１１…鉄芯金、２０１２…シリコーンゴム、２０１３…ヒータ、２０２…加圧ベルト、２０３…入口ガイド、２０４…剥離ガイド、２０４１…剥離ガイドの溝、２０４２…当接部材、２０４３…ばね、２０４４…回転支持部材、２０４５…保持部材、２０４６…保持部材突起、２０５…出口ガイド、２０６…下ケース、２０７…加圧パッド、２０８…トナー、２０９…用紙、２１０…サーミスタ、２４０…剥離ガイドユニット、４０…ステー、４１…ハーフピアス。
【図１】
2008122520.tif 000003
【図２】
2008122520.tif 000004
【図３】
2008122520.tif 000005
【図４】
2008122520.tif 000006
【図５】
2008122520.tif 000007
【図６】
2008122520.tif 000008